(57)【特許請求の範囲】
【請求項１】
トルクコンバータを介して入力されたエンジン回転を変速して出力する自動変速機の制御装置であって、
該自動変速機がロックアップ状態であるか否かを判定するロックアップ判定手段と、
車両の走行速度を検出する車速検出手段と、
アクセル開度を検出するアクセル開度検出手段と、
該トルクコンバータのタービン回転速度を検出するタービン回転速度検出手段と、
該エンジンの回転速度を検出するエンジン回転速度検出手段と、
該自動変速機の作動状態を制御する自動変速機制御手段とをそなえ、
該自動変速機制御手段は、
該ロックアップ判定手段により非ロックアップ状態であることが検出され、該車速検出手段により検出された車速が所定車速以下の低速走行状態であって、且つ該アクセル開度検出手段により検出された該アクセル開度が所定値未満の状態から該アクセル開度が該所定値以上の状態に変化したと判定すると、該アクセル開度の変化判定時から所定時間の経過後に、該タービン回転速度検出手段により検出されたタービン回転速度（Ｎｔ）と該エンジン回転速度検出手段で検出されたエンジン回転速度（Ｎｅ）との比である速度比（Ｎｔ／Ｎｅ）が１よりも大きい第１所定値よりも大きいと判定するとエンジントルクの抑制を開始する
ことを特徴とする、自動変速機の制御装置。
【請求項２】
該車両は少なくとも該エンジントルクを制御可能なエンジン制御手段をそなえ、
該自動変速機制御手段は、該エンジン制御手段に対してエンジントルクの上限値設定を要求することで該エンジントルクを抑制する
ことを特徴とする、請求項１記載の自動変速機の制御装置。
【請求項３】
該自動変速機制御手段は、
該エンジントルクの抑制をしている際に、該速度比（Ｎｔ／Ｎｅ）が１よりも大きい第１所定値以下に低下したと判定すると、該エンジントルクの抑制制御を終了し、アクセル開度に対応するエンジントルクへ復帰させる
ことを特徴とする、請求項１又は２記載の自動変速機の制御装置。
【請求項４】
該自動変速機制御手段は、
該エンジントルクの抑制をする際に、該速度比（Ｎｔ／Ｎｅ）が該第１所定値よりも大きい第２所定値以上の場合は、該エンジントルクの上限値を設定し、該エンジントルクを該上限値以下に抑制する
ことを特徴とする、請求項３記載の自動変速機の制御装置。
【請求項５】
該自動変速機制御手段は、
該エンジントルクの抑制をする際に、該速度比（Ｎｔ／Ｎｅ）が該第２所定値未満且つ該第１所定値よりも大きい場合に、該上限値を所定勾配で増大させることにより該エンジントルク抑制制御を緩和することを特徴とする、請求項４記載の自動変速機の制御装置。
【請求項６】
該所定時間は、エンジン負荷が大きくなるほど、及び／又はエンジン負荷変化率が大きくなるほど短い時間に設定される
ことを特徴とする、請求項１〜５のいずれか１項に記載の自動変速機の制御装置。 
【発明の詳細な説明】
【技術分野】
【０００１】
本発明は、エンジンの回転を変速する自動変速機の制御装置に関し、特にエンジンと自動変速機とを協調制御可能な制御装置に関するものである。
【背景技術】
【０００２】
従来、自動変速機を備えた車両では、低速域且つ非ロックアップ状態での走行中に、コースト走行状態（アクセルオフによる慣性での走行状態）からドライブ状態（アクセル踏み込み状態）になると、エンジンが被駆動状態から駆動状態に移行するため、ギヤのバックラッシュや部品のガタなどに起因してパワープラントを揺すりながらのトルク変動（或いはショック；チップインショックとも言う）が発生し、運転者は違和感を覚える場合がある。
【０００３】
そこで、このようなコースト状態からドライブ状態への移行時に発生するショックを低減する手法としてエンジンの点火時期をリタードさせたり、電制スロットルによるスロットル開度制御によりエンジントルクを抑制する技術が知られている。
また、これ以外にも、低速走行中にアクセルが踏み込まれた場合にショックを低減する手法として下記の特許文献１に開示された技術が知られている。
【０００４】
これは、低速走行中にコースト状態からアクセルが踏み込まれてドライブ状態となったときに、ワンウェイクラッチ（One Way Clutch；以下、ＯＷＣと称す）の締結ショックを緩和するために、ＯＷＣの締結（同期直前）を判定して、同期直前と判定したら所定時間だけエンジンのトルクを低減するものである。
【特許文献１】特開平５−１５８９号公報
【発明の開示】
【発明が解決しようとする課題】
【０００５】
しかしながら、従来のエンジントルクを抑制する技術では、ショックの低減と加速性能の確保とを両立できるようなトルク低減量（例えばリタード量）が適正化されておらず制御手法が確立されていない。
また、特許文献１に開示された技術では、下記の式（１）でトルクダウン開始タイミングを判定しているが、あくまでもＯＷＣの締結ショックを緩和することを想定したものであるため、ＯＷＣのない変速段やＯＷＣを備えていないＣＶＴ等においては、コースト状態からアクセルを踏み込んだ（アクセルオン）ときに発生するショックを抑制することができない。
車速（出力軸回転速度Ｎ０）×ギヤ比ｉ×クラッチ回転数Ｎｃ０（実タービン回転数）
＜所定値ΔＮ１・・・（１）
つまり、式（１）はあくまでもＯＷＣが設けられていること、言い換えれば、実タービン回転速度と、車速にギヤ比を積算して算出する同期回転数とが相違していることが前提の式であり、ＯＷＣのない変速段やＯＷＣを備えていないＣＶＴでは上記回転数が相違しないため、適切なタイミングでトルクダウンを行うことができず、低速走行中にコースト状態からアクセルを踏み込まれたときのショックを抑制するこができない。
【０００６】
そこで、アクセルが踏み込まれると同時に所定時間だけエンジントルクの上昇を規制する（アクセル開度に対応するエンジントルクよりもエンジントルクを低減する）ことも考えられるが、この場合にはアクセルを踏み込んでいるにもかかわらずエンジントルクの上昇が遅れるため、運転者の意図する加速感が得られないという問題があるうえ、上記の所定時間を一定に設定すると、アクセルの踏み加減や踏み込み速度に応じてエンジントルクの応答性が異なるため、適切なタイミングでトルク低減が行われない可能性がある。
【０００７】
本発明は、このような課題に鑑み創案されたもので、ＯＷＣのない変速段やＯＷＣを備えていない自動変速機であっても、コースト状態からアクセルオン（ドライブ状態）に移行する際に発生するトルク変動又はショックを効率よく抑制できるようにした、自動変速機の制御装置を提供することを目的とする。
【課題を解決するための手段】
【０００８】
このため、本発明の自動変速機の制御装置は、トルクコンバータを介して入力されたエンジン回転を変速して出力する自動変速機の制御装置であって、該自動変速機がロックアップ状態であるか否かを判定するロックアップ判定手段と、車両の走行速度を検出する車速検出手段と、アクセル開度を検出するアクセル開度検出手段と、該トルクコンバータのタービン回転速度を検出するタービン回転速度検出手段と、該エンジンの回転速度を検出するエンジン回転速度検出手段と、該自動変速機の作動状態を制御する自動変速機制御手段とをそなえ、該自動変速機制御手段は、該ロックアップ判定手段により非ロックアップ状態であることが検出され、該車速検出手段により検出された車速が所定車速以下の低速走行状態であって、且つ該アクセル開度検出手段により検出された該アクセル開度が所定値未満の状態から該アクセル開度が該所定値以上の状態に変化したと判定すると、該アクセル開度の変化判定時から所定時間の経過後に、該タービン回転速度検出手段により検出されたタービン回転速度（Ｎｔ）と該エンジン回転速度検出手段で検出されたエンジン回転速度（Ｎｅ）との比である速度比（Ｎｔ／Ｎｅ）が１よりも大きい第１所定値よりも大きいと判定するとエンジントルクの抑制を開始することを特徴としている（請求項１）。 
【０００９】
また、該車両は少なくとも該エンジントルクを制御可能なエンジン制御手段をそなえ、該自動変速機制御手段は、該エンジン制御手段に対してエンジントルクの上限値設定を要求することで該エンジントルクを抑制するのが好ましい（請求項２）。
また、該自動変速機制御手段は、該エンジントルクの抑制をしている際に、該速度比（Ｎｔ／Ｎｅ）が１よりも大きい第１所定値以下に低下したと判定すると、該エンジントルクの抑制制御を終了し、アクセル開度に対応するエンジントルクへ復帰させるのが好ましい（請求項３）。 
【００１０】
また、該自動変速機制御手段は、該エンジントルクの抑制をする際に、該速度比（Ｎｔ／Ｎｅ）が該第１所定値よりも大きい第２所定値以上の場合は、該エンジントルクの上限値を設定し、該エンジントルクを該上限値以下に抑制するのが好ましい（請求項４）。
また、該自動変速機制御手段は、該エンジントルクの抑制をする際に、該速度比（Ｎｔ／Ｎｅ）が該第２所定値未満且つ該第１所定値よりも大きい場合に、該上限値を所定勾配で増大させることにより該エンジントルク抑制制御を緩和するのが好ましい（請求項５）。
【００１１】
また、該所定時間は、エンジン負荷が大きくなるほど、及び／又はエンジン負荷変化率が大きくなるほど短い時間に設定されるのが好ましい（請求項６）。
【発明の効果】
【００１２】
本発明の自動変速機の制御装置によれば、コースト走行からドライブ走行に切り換わってから所定時間経過後にエンジントルクの抑制を行うので、エンジン回転変化率を小さくすることができて、コースト状態からドライブ状態に移行する際に発生するトルク変動又はショックを抑制することができる。また、所定時間経過後にエンジントルク低減を行うので、アクセル踏み込みとともにエンジントルク低減を開始するものに比べて、エンジントルク上昇の抑制を最小限にすることができ、運転者の意図する加速感を極力損なうことなくショックを抑制できる。また所定時間はエンジン負荷及び／又はエンジン負荷変化率に基づいて設定されているため、適切なタイミングでトルク抑制を開始することができて、確実にトルク変動を抑制できる。
【００１３】
また、トルクコンバータの速度比が１よりも大きな値でエンジントルクの復帰を開始することで、実際のエンジントルクの応答遅れがあるため、速度比１近傍のエンジン回転数の変化率を小さい状態で維持でき、これにより従来に比べてトルク変動を抑制できる。
また、速度比１よりも早い段階（つまり速度比が１よりも大きい状態）でエンジントルクの復帰を開始することで、ドライブ状態になった後のエンジントルクの上昇を早めることができるので、運転者の意図する加速感を得ることができる。
【００１４】
また、エンジン負荷（アクセル踏み込み）に応じたエンジントルクの応答性を考慮してトルク低減の開始タイミングを決定するため、適切なタイミングでエンジントルク低減を開始することができ、例えば、エンジントルク低減開始遅れによるショックが発生したり、開始が早すぎて加速感が得られないといった問題を解決することができる。
【発明を実施するための最良の形態】
【００１５】
以下、図面により、本発明の一実施形態に係る自動変速機の制御装置について説明すると、図１は本発明が適用される車両の駆動系を示す模式図、図２は本発明の一実施形態に係る自動変速機の制御装置の要部に着目した模式的なブロック図、図３はその作用について説明するフローチャート、図４はその作用について説明するタイムチャート、図５は所定時間Ｔｓを設定するためのマップの一例を示す図である。
【００１６】
図１において、１は自動変速機、３はエンジンであって、これら自動変速機１及びエンジン３からパワートレーンが構成されている。また、エンジン３と自動変速機１との間にはエンジン３からの駆動力を自動変速機１に伝達するトルクコンバータ２が介装されている。さらに、図示はしないが、このトルクコンバータ２には公知のロックアップクラッチが付設されており、走行状態に応じてロックアップクラッチを係合することによりトルクコンバータ２内のスリップが規制されるようになっている。
【００１７】
また、このエンジン３には、ドライバの操作状態や車両の走行状態等、種々の状況に応じてエンジンの作動を制御する公知のエンジンコントローラ（エンジン制御手段）１５が付設されており、このエンジンコントローラ１５からの制御信号に基づいて、いずれも図示しない点火プラグの点火タイミングや、インジェクタの駆動タイミング及び駆動時間や、電子制御スロットルの開度等が調整されるようになっている。
【００１８】
ところで、本実施形態においては、自動変速機１は周知のＶベルト式無段変速機（ＣＶＴ；Continuously Variable Transmission）であって、詳細は図示しないが、トルクコンバータ２を介してエンジン３の出力軸に結合されたプライマリプーリと、上記プライマリプーリに並列に配設され、アイドルギヤ又は減速ギヤ等を介して変速機出力軸４に接続されたセカンダリプーリと、これら両プーリのＶ字溝間に掛け渡されたＶベルトとを備えている。
【００１９】
また、自動変速機１のプライマリプーリ及びセカンダリプーリはそれぞれ可動フランジと固定フランジとを備えて構成され、このうち可動フランジを固定フランジに対して相対的に移動させてＶ字溝幅を狭めたり広めたりすることで変速比が変更されるようになっている。
また、両可動フランジは、やはり図示しない油圧源から供給される油圧に応じて位置が変更されるようになっている。具体的には、後述する変速機コントローラ９により自動変速機１の目標変速比が設定されると、この目標変速比の指令信号に応じてコントロールバルブ（油圧回路）５のソレノイドバルブ６，７が作動して、油圧源からプライマリプーリ及びセカンダリプーリにそれぞれプライマリプーリ圧Ｐｐｒｉ及びセカンダリプーリ圧Ｐｓｅｃが供給されるようになっている。そして、これらの油圧の大きさに応じて各プーリのＶ字溝幅が変更されて、変速比が変更されるようになっている。
【００２０】
なお、自動変速機１では、ライン圧を元圧として上記の作用を行うが、このライン圧もコントロールバルブ５内におけるライン圧ソレノイド８のデューティ制御により、運転状態に応じた適切な値に調圧されるようになっている。
また、エンジン３には、ドライバによるアクセルペダル操作に基づいて開度が決定されるスロットルバルブ（図示省略）が付設されており、上記アクセルペダルの踏み込み量（アクセル開度）ＡＰＳ及び上記スロットルバルブの開度（以下、スロットル開度という）ＴＶＯをそれぞれ検出するアクセル開度センサ（エンジン負荷検出手段）１７及びスロットル開度センサ（エンジン負荷検出手段）１０が設けられている。
【００２１】
また、これ以外にも、プライマリプーリの回転数（即ち、タービンの回転数）を検出するプライマリ回転数センサ（タービン回転数センサ；タービン回転数検出手段）１６と、セカンダリプーリの回転数（即ち、変速機出力軸４の回転数）Ｎｏを検出するセカンダリ回転数センサ（変速機出力回転センサ）１１と、エンジン３の回転数Ｎｅを検出するエンジン回転数センサ（エンジン回転速度検出手段）１２と、ドライバにより選択されたシフトレンジを判定する選択レンジセンサ１３と、車速ＶＳＰを検出する車速センサ（車速検出手段）１４とが設けられている。
【００２２】
また、車両には自動変速機１の変速状態を制御する変速機コントローラ（自動変速機制御手段）９が設けられている。そして、コントローラ９に上記各センサ１０〜１４，１６，１７が電気的に接続されており、これにより、コントローラ９にスロットル開度ＴＶＯ，変速機出力回転数Ｎｏ，車速ＶＳＰ，プライマリ回転数Ｎｐ等の情報が入力されるようになっている。
【００２３】
また、この変速機コントローラ９とエンジンコントローラ１５とは例えば公知のＣＡＮによりバス接続されており相互に通信可能に構成されている。そして、このような構成により自動変速機２とエンジン３との間で協調制御可能に構成されている。
次に、本発明の要部について説明すると、本装置は、主に低速域且つ非ロックアップ状態での走行中において、コースト状態からドライブ状態に移行する際に発生するトルク変動（或いはチップインショック）を加速性能を損なうことなく抑制するものである。
【００２４】
まず、本装置における制御の概要について簡単に説明する。本装置は、低速走行時にコースト状態からドライブ状態に移行したことを判定すると、エンジン３の上限トルク（出力可能な最大トルク）ＴCLP を設定し、この上限トルクＴCLP をエンジンコントローラ１５に出力するようになっている。また、エンジンコントローラ１５では、アクセル開度に応じた目標エンジントルク（ドライバの要求する目標エンジントルク）Ｔｔと、変速機コントローラ９から得られる上限トルクＴCLP とを比較するとともに、小さいほうの値を選択し（上限クリップ）、これを最終的な目標エンジントルクとして設定するようになっている。つまり、上限トルクＴCLP を超えない範囲ではドライバの要求するエンジントルクが最終的な目標エンジントルクとして許容され、上限トルクＴCLP を超えるようなエンジントルクを要求している場合には、上記の上限トルクＴCLP が最終的な目標エンジントルクとして設定されるようになっているのである。
【００２５】
そして、エンジンコントローラ１５では、上述により設定された目標エンジントルクとなる目標スロットル開度ＴＶＯｔを求め、このようなスロットル開度ＴＶＯｔとなるように電子制御スロットルをフィードバック制御して、エンジン１の出力トルクを制御するようになっている。なお、本実施形態ではスロットル開度制御によりエンジントルクを変更するようにしているが、スロットル開度以外にも、燃料噴射量や点火時期等他のパラメータを単独で或いは適宜組み合わせて制御して、エンジントルクを制御するようにしても良い。
【００２６】
このような制御により、エンジン３の出力トルクが上記の上限トルクＴCLP 以下に抑制されることになり、アクセル踏み込み時にパワートレーンに発生するチップインショックを抑制することができる。
また、本装置では車両の加速性を考慮して、ドライブ状態への移行が判定されてもすぐにエンジントルクの上限値ＴCLP を設定するのではなく、ドライブ状態への移行判定後、所定時間Ｔｓ経過するまではドライバの要求に応じたエンジントルクが設定されるようになっている。そして、上記所定時間Ｔｓ経過後にトルク抑制（上限値クリップ）が実行されるようになっている。
【００２７】
このように所定時間Ｔｓだけ制御開始を遅らせるのは、車両の発進性やドライバビリティを考慮したものである。つまり、コースト走行時において、アクセル踏み込みと同時にエンジントルクの抑制制御を開始してしまうと、ドライバの意図する加速感を得ることができずドライバが違和感を覚えるおそれがある。そこで、本実施形態では所定時間Ｔｓが経過してからエンジントルク抑制制御を開始するようになっている。なお、この所定時間Ｔｓの設定手法については後述する。
【００２８】
また、エンジントルク抑制制御開始後は、エンジン回転数Ｎｅとタービン回転数Ｎｔ（＝プライマリ回転数Ｎｐ）をパラメータとしてエンジントルク抑制制御の終了時期を決定するようになっている。
つまり、コースト走行状態では、エンジン３が被駆動状態となるため、エンジン回転数Ｎｅとタービン回転数Ｎｔとの速度比ＳＲ（＝Ｎｔ／Ｎｅ）が１以上となっているが、アクセルが踏み込まれてドライブ状態となると、時間の経過とともにエンジン回転数が上昇して徐々に速度比ＳＲが低下していくことになる。
【００２９】
ここで、本装置では、エンジントルク抑制制御を解除するトリガとして速度比ＳＲを適用し、車両がドライブ状態に近づいたと判定できる基準速度比ＳＲｓ（第１所定値；ＳＲｓ≧１）よりも小さくなったら、もはやショックが生じることはないと判断して、上限トルクＴCLP を実質的にキャンセルするとともに、エンジントルクをドライバの要求に応じたトルクに設定するようになっている。
【００３０】
また、本制御を終了する際は、それまで設定されていた上限トルクを単にキャンセルするのではなく、上限トルクＴCLP を徐々に増大させることにより、本制御の終了前後におけるエンジントルクの急激な変動を抑制するようになっている。
以下、図２を用いて本装置の要部構成を詳しく説明すると、図２に示すように、変速機コントローラ９内には、自動変速機１がロックアップ状態であるか否かを判定するロックアップ判定手段２１が設けられている。
【００３１】
ここで、ロックアップの判定手法については公知の種々の手法が適用可能である。例えば車速センサ１４やアクセル開度センサ１７等から得られる車両走行状態を読み込んで、現在の走行状態が予め設定されたロックアップ領域にあるか否かを判定してロックアップを判定しても良いし、変速機コントローラ９から出力されるロックアップクラッチを係合するための指示信号及び係合解除の指示信号の有無を取り込んで、この信号に基づいてロックアップを判定しても良い。また、ロックアップクラッチに供給される作動油圧を検出してロックアップを判定するようにしても良い。
【００３２】
また、変速機コントローラ９には車速比較手段２２及びアクセル開度比較手段２３が設けられている。そして、車速比較手段２２では、車速センサ１４から得られる車速ＶＳＰと予め記憶された所定値（所定車速）ＶＳＰ１とが比較されるようになっている。なお、この所定車速ＶＳＰ１は比較的低速に設定されており、このため、車速比較手段２２は車両が低速走行しているか否かを判定する手段として機能している。また、アクセル開度比較手段２３では、アクセル開度センサ１７から得られるアクセル開度ＡＰＳと予め記憶された所定アクセル開度ＡＰＳ１とが比較されるようになっている。
【００３３】
そして、上記のロックアップ判定手段２１，車速比較手段２２及びアクセル開度比較手段２３はいずれも前提条件成立判定手段２４に接続されており、前提条件成立手段２４では以下の前提条件１．〜３．が全て成立したか否かが判定されるようになっている。なお、以下の前提条件は、アクセルオフのコースト状態からアクセルオンのドライブ状態への変化を判定する条件であって、背景技術の欄で説明したようなトルク変動（チップインショック）が発生する条件でもある。
［前提条件］
１．トルクコンバータ２が非ロックアップ状態。
２．ＶＳＰ≦ＶＳＰ１（所定車速以下の低速走行）。
３．ＡＰＳが所定値ＡＰＳ１未満から所定値以上に変化した（アクセル踏み込み検出）。
【００３４】
なお、上記３．において、アクセル開度変化速度ΔＡＰＳをパラメータとしてもよい。この場合には、具体的には３．に代えて、「アクセル開度変化速度ΔＡＰＳが所定値未満から所定値以上に変化した」としてもよい。また、ここではアクセル開度をエンジン負荷を表すパラメータとして用いているが、アクセル開度に代えてエンジン負荷を示す他のパラメータを用いていも良い。
【００３５】
そして、前提条件成立手段２４で上記の［前提条件］が成立したと判定すると、タイマ２５のカウントが開始されるようになっている。また、タイマ２５には所定時間Ｔｓがメモリされており、タイマ２５では所定時間Ｔｓ経過するまでカウントを継続するようになっている。そして、この所定時間Ｔｓ経過後に、エンジントルクの抑制制御を開始するようになっている
つまり、所定時間Ｔｓは、上記［前提条件］が成立してからエンジントルク抑制制御を開始するまでの時間であって、本実施形態ではエンジン負荷（ここではスロットル開度ＴＶＯ）に応じて所定時間（以下では、制御開始時間という）Ｔｓが設定されるようになっている。
【００３６】
この制御開始時間Ｔｓは、具体的にはドライバがアクセルを踏み込んでからある程度のエンジントルクが立ち上がるまでを見込んだ時間であって、これにより前提条件が成立すると直後からトルク抑制制御を開始するような従来の技術に対して、エンジントルク抑制を遅らせることでアクセル踏み込み初期の必要以上のエンジン回転の抑制を回避して、加速性能の低下を回避するようにしている。
【００３７】
図５はスロットル開度ＴＶＯに対する制御開始時間Ｔｓを示すマップであって、本実施形態では、線ａ（実線）で示すように、スロットル開度ＴＶＯが大きくなるほど制御開始時間Ｔｓが小さくなるように設定されている。これは、スロットル開度ＴＶＯが大きいほどエンジン３の応答性が高くなるからであり、このようなエンジン３の応答性を考慮して制御開始時間Ｔｓが設定されるようになっている。
【００３８】
ここで、図５における各点はスロットル開度ＴＶＯが変化してからエンジントルクが変化し始めるまでの応答時間を実験的に求めたものであり、線ｂ（破線）はこのような応答時間のデータを最小二乗法等により近似した特性である。そして、線ｂで示す、スロットル開度ＴＶＯが変化してからエンジントルクが立ち上がるまでの実際の時間に対して、本実施形態では所定の余裕代を加えた時間を線ａで示す所定時間Ｔｓとして設定しているのである。
【００３９】
これにより、アクセルオンしてから徐々にトルクが立ち上がり始めたタイミングで所定時間Ｔｓが経過してトルク抑制制御が開始することになり、エンジントルク抑制制御終了後に速やかにエンジン回転数を立ち上げて車両を加速させることが可能となる。
なお、スロットル開度に代えてスロットル開度変化率ΔＴＶＯを用いて制御開始時間Ｔｓを設定してもよい。この場合にはスロットル開度変化率ΔＴＶＯが大きくなるほど制御開始時間Ｔｓが小さくなるように設定すればよい。また、スロットル開度ＴＶＯとスロットル開度変化率ΔＴＶＯとの両方をパラメータにして制御開始時間を設定しても良い。
【００４０】
ここで、図６はスロットル開度変化率ΔＴＶＯに対する制御開始時間Ｔｓを示すマップであって、図５と同様に、線ａは制御開始時間Ｔｓの特性、線ｂはスロットル開度変化率ΔＴＶＯに対するエンジントルクが変化し始めるまでの応答時間の特性を示している。そして、線ｂで示すエンジントルクが立ち上がるまでの応答時間に対して所定の余裕分を加えることにより線ａで示す制御開始時間Ｔｓの特性が設定されており、このようなスロットル開度変化率ΔＴＶＯを用いて制御開始時間Ｔｓを設定しても、上述と同様に加速性を損なうことなくショックを抑制できるようになる。
【００４１】
また、これらのスロットル開度ＴＶＯとスロットル開度変化率ΔＴＶＯとの両方を用いて制御開始時間Ｔｓを設定しても良い。この場合には、制御開始時間Ｔｓを設定するマップとしては、スロットル開度ＴＶＯ及びスロットル開度変化率ΔＴＶＯから制御開始時間Ｔｓを求める３次元マップとなり、例えば同じスロットル開度でも、そのスロットル開度におけるスロットル開度変化率ΔＴＶＯが大きければ比較的短い時間に制御開始時間Ｔｓが設定され、スロットル開度変化率ΔＴＶＯが小さければ比較的長い時間に制御開始時間Ｔｓが設定される。
【００４２】
なお、上述したスロットル開度ＴＶＯ及びスロットル開度変化率ΔＴＶＯはそれぞれエンジン負荷及びエンジン負荷変化率の一例であり、スロットル開度に代えてアクセル開度や吸入空気量等の他のエンジン負荷を示すパラメータを適用してもよい。
ところで、図２に示すタイマ２５には制御終了時間Ｔｅも記憶されている。この制御終了時間Ｔｅは、エンジントルク抑制制御を強制的に終了させるために設けられたバックアップタイマであって、本来の終了条件（速度比ＳＲに基づく終了判定）が機能しなかった場合に、このバックアップタイマにより本制御が終了し、エンジントルク抑制が解除されるようになっている。なお、制御終了時間Ｔｅは比較的大きな値に設定されており、通常時には、このバックアップタイマにより本制御が終了するようなことはないように設定されている。
【００４３】
また、図示するように、変速機コントローラ９には、上述以外にも、上限トルク設定手段２６，速度比算出手段２７，速度比判定手段２８，上限トルク勾配設定手段２９，上限トルクキャンセル手段３０及び選択手段３１が設けられている。
このうち、上限トルク設定手段２６は、アクセル開度の変化率ΔＡＰＳやエンジン水温Ｔｗに基づいてエンジン３の上限トルクＴCLP を設定するものであって、通常は所定時間Ｔｓ経過直後は、この上限トルク設定手段２６で設定された上限トルクＴCLP がエンジンコントローラ１５に出力されるようになっている。なお、この上限トルクＴCLP は、例えばエンジン３が出力可能な最大トルクの１／３程度に設定されるようになっている。
【００４４】
また、速度比算出手段２７は、プライマリ回転数センサ１６及びエンジン回転数センサ１２からの情報に基づいてタービン回転速度とエンジン回転速度との比（速度比）を算出する手段であって、速度比ＳＲは下式（２）により算出される。なお、速度比ＳＲはエンジン３が被駆動（コースト）状態であるか駆動（ドライブ）状態かを判定するパラメータとして機能するものであって、速度比１未満のときはドライブ状態、１以上のときはコースト状態である。
ＳＲ＝Ｎｔ／Ｎｅ・・・・（２）
速度比判定手段２８は、速度比算出手段２７で算出された現在の速度比ＳＲと、いずれも予め設定された第１所定値（基準速度比）ＳＲｓと第２所定値（勾配開始速度比）ＳＲｏとを比較する手段であって、この速度比の比較により、コースト状態からドライブ状態へ移行度合いが判定されるようになっている。ここで第１所定値ＳＲｓはトルク抑制制御の終了を判定する速度比であって、１以上の数値で且つ比較的１に近い数値が設定されている。なお、本実施形態では例えば第１所定値ＳＲｓ＝１．１に設定されている。また、第２所定値ＳＲｏは、第１所定値ＳＲｓよりも大きい値に設定されており、本制御を終了する前に上限トルクＴCLP を緩和する（トルク抑制を緩和する）タイミングを判定する速度比である。なお、本実施形態では第２所定値ＳＲｏは例えば１．３程度に設定されている。
【００４５】
そして、この速度比判定手段２８において、現在の速度比ＳＲが以下のいずれの場合に該当するかが判定されるようになっている。
ＳＲ≧ＳＲｏ          ・・・（３）
ＳＲｓ＜ＳＲ＜ＳＲｏ  ・・・（４）
ＳＲ≦ＳＲｓ          ・・・（５）
また、選択手段３１には、図示するように、上述した上限トルク設定手段２６以外に、エンジントルク復帰時に上限トルクＴCLP の上昇勾配θを設定する上限トルク勾配設定手段２９や上限トルクＴCLP をキャンセルする上限トルクキャンセル手段３０が設けられている。
【００４６】
ここで、上限トルク勾配設定手段２９は、エンジントルク抑制制御が終了する前に上限トルクＴCLP に上昇勾配θを設定することで徐々に上限トルクＴCLP を増大させて、制御終了時の急激なトルク変動及び前後Ｇの発生を防止するものである。また、上限トルクキャンセル手段３０は、制御終了時に上限トルクＴCLP をキャンセルすることにより、ドライバの要求に対応したエンジントルクに復帰させるものである。
【００４７】
そして、選択手段３１では、上記速度比判定手段２８で得られる速度比ＳＲに応じて、上限トルク設定手段２６，上限トルク勾配設定手段２９及び上限トルクキャンセル手段３０で設定された（上限トルクＴCLP ，上限トルク勾配θ及び上限値キャンセル）のうちいずれか一つを選択してエンジンコントローラ１５に対して出力するようになっている。
具体的には、速度比判定手段２８で得られる速度比ＳＲが（３）の場合、即ちＳＲ≧ＳＲｏである場合には、変速比が大きくチップインショックが生じやすい状態であるので、この場合には上限トルク設定手段２６が選択され、この上限トルク設定手段２６で選択された上限トルクＴCLP がエンジンコントローラ１５に出力される（つまり、エンジンコントローラ１５に対してエンジントルクの上限値設定を要求する）ようになっている。これにより、エンジン３の過大なトルクが規制されて、上記のようなショック及びトルク変動が抑制される。
【００４８】
また、速度比ＳＲが（４）の場合、即ちＳＲｓ＜ＳＲ＜ＳＲｏの場合には、変速比が低下してきていると判定できるので、トルク抑制制御終了に向けて上限トルク勾配設定手段２９が選択される。そして、この上限トルク勾配設定手段２９では、設定された勾配θに基づいて逐次上限トルクＴCLP を算出して、この算出された上限トルクＴCLP がエンジンコントローラ１５に出力されるようになっている。これにより、それまで設定されていた上限トルクを基準として、所定の上昇勾配θで上限トルクＴCLP が増大していきトルク抑制が緩和される。
【００４９】
また、速度比ＳＲが（５）の場合、即ち、ＳＲ≦ＳＲｓの場合には、変速比が１近傍であり、もはや略ドライブ状態に移行したと判定する。この場合には、トルク抑制を解除してもショックが生じることがないので、上限トルクキャンセル手段３０からの上限トルクキャンセル信号が出力される。これにより、エンジン３の出力トルクに上限規制がなくなり、ドライバの要求に応じたトルクが出力される。
【００５０】
なお、本実施形態では、上限トルクキャンセル手段３０で上限トルクＴCLP をキャンセルすることで、本来エンジン３に設定されている上限トルク（オリジナルの上限トルク）ＴMAX にトルク制限値が変更されるようになっている〔図４（ｃ）参照〕。ここで、オリジナルの上限トルクＴMAX とは、エンジン制御のロジック上の必要性から設定されているものであって、エンジン３では出力不可能な大きな値に設定されている。したがって、トルクの制限値を上限トルクＴCLP からオリジナルの上限トルクＴMAX に変更するということは、実質的にエンジン３のトルク制限をキャンセルするということと同じ意味である。また、上述したように上限トルクＴMAX は制御ロジックの必要性から設定されているが、このような上限トルクＴMAX が本来設定されていないエンジンにおいては、単に上述のように上限トルクＴCLP をキャンセルするだけでよい。
【００５１】
本発明の一実施形態に係る自動変速機の制御装置は上述のように構成されているので、その作用を図３に示すフローチャートに従って説明すると以下のようになる。
まず、ステップＳ１において各種のセンサから情報を取り込み、ステップＳ２で制御開始の前提条件（トルクコンバータ２が非ロックアップ、且つ車速ＶＳＰ≦ＶＳＰ１、且つアクセル開度が所定値ＡＰＳ１未満から所定値以上に変化した）が成立したか否かを判定する。
【００５２】
そして、ステップＳ２で前提条件が成立したと判定すると、ステップＳ３においてタイマ２５のカウントを開始するとともに、ステップＳ４で速度比ＳＲ（＝Ｎｔ／Ｎｅ）を算出する。なお、ステップＳ２で前提条件の成立が判定されなかった場合にはそのままリターンする。
次に、ステップＳ５において、タイマのカウントＴが所定の制御開始時間Ｔｓを経過しているか、及び所定の制御終了時間Ｔｅの経過前かが判定される。ここで、カウントＴが制御開始時間Ｔｓを経過していて、且つ制御終了時間Ｔｅ経過前であると判定すると、ステップＳ６に進む。
【００５３】
ステップＳ６では速度比ＳＲを基準速度比ＳＲｓと勾配開始速度比ＳＲｏと比較し、ＳＲ≧ＳＲｏであればステップＳ７に、ＳＲｓ＜ＳＲ＜ＳＲｏであればステップＳ８に、ＳＲ≦ＳＲｓであればステップＳ９に進む。
ここで、ＳＲ≧ＳＲｏの場合、即ち、速度比が十分大きい場合には、ステップＳ７において、上限トルクＴCLP を設定し、エンジンコントローラ１５に出力する。そして、これにより、エンジン３の出力トルクを規制する。また、ＳＲｓ＜ＳＲ＜ＳＲｏであれば、上限トルクに対して勾配を設定し、トルク抑制を緩和する。さらに、ＳＲ≦ＳＲｓであれば、上限トルクＴCLP をキャンセルして、トルク抑制を解除する。なお、ステップＳ５においてＮｏと判定されると、ステップＳ１０においてタイマのカウントＴが制御終了時間Ｔｅを経過しているか否かが判定され、制御終了時間Ｔｅを経過していると判定した場合にはステップＳ１０からステップＳ９に進んでトルク抑制制御が解除される。また、ステップＳ１０で制御終了時間Ｔｅの経過前と判定されると、そのままリターンする。
【００５４】
次に、本実施形態に係る自動変速機の制御装置の作用を図４（ａ）〜（ｃ）に示すタイムチャートを用いて説明する。まず、アクセルオフのコースト状態において、図４（ａ）に示すように、アクセルが踏み込まれてドライブ状態への移行が判定されると（時間ｔ0 ）、その後図４（ｃ）に示すように、所定時間Ｔｓ経過してからエンジン３の上限トルクの抑制が開始される（時間ｔ1 ）。
【００５５】
ここで、図４（ａ）及び（ｂ）に示すように、所定時間Ｔｓの経過前（即ち、ｔ1 以前）は、アクセル開度の上昇に応じて目標スロットル開度ＴＶＯｔが増大していくとともに、僅かに制御遅れを伴って実スロットル開度ＴＶＯも増大していく。そして、これにさらに遅れて、図４（ｃ）に示すようにエンジントルクが立ち上がる。
そして、所定時間Ｔｓが経過すると（時間ｔ1 ）、図４（ｃ）に示すように上限トルクが設定される。具体的には、トルクを抑制するべく図４（ｂ）に示すように目標スロットル開度が抑制され、これに遅れて実スロットル開度が抑制される。したがって、図４（ａ）に示すように、アクセル開度が上昇してもエンジン回転数の上昇が抑制される。
【００５６】
ただし、図４（ｃ）に示すように，エンジントルクは所定時間Ｔｓ経過前に僅かに上昇するためドライバの要求する加速性を確保することができる。つまり、Ｔｓ時間はエンジントルク抑制を実行しないことでエンジン回転数の上昇を早め目標スロットル開度をアクセル操作に追従させるのである。ここで、仮にいきなりエンジンのトルクが抑制されてしまうと、目標スロットル開度が最初から抑制されてしまい、エンジン回転上昇が遅れて加速性能が大幅に低下する可能性があるが、本装置では、スロットル開度ＴＶＯに応じて設定される所定時間Ｔｓだけカウントしてからエンジントルクの上限値を設定するので、このようなドライバビリティの低下を最小限に抑制することができる。
【００５７】
そして、その後速度比が第１所定値以上の大きさに設定された第２所定値（勾配開始速度比）ＳＲｏとなると、エンジンのトルク上限値を所定勾配で徐々に増大させ（ｔ＝ｔ2 ）、その後速度比が第１所定値ＳＲｓとなると、上限トルクがキャンセルされる（ｔ＝ｔ3 ）。
また、上述のようにエンジントルクの上限値を設定することにより、図４（ｃ）に示すように前後Ｇを低減することができ、ショック低減を図ることができる利点がある。
【００５８】
したがって、本発明の一実施形態に係る自動変速機の制御装置によれば、コースト走行からドライブ走行に切り換わってから所定時間経過Ｔｓ後にエンジントルクの抑制を行うので、エンジン回転変化率を小さくすることができ、コースト状態からドライブ状態に移行する際に発生するトルク変動又はショック（チップインショック）を抑制することができる。
【００５９】
また、所定時間Ｔｓ経過後にエンジントルクの低減を行うので、アクセル踏み込みとともにエンジントルク低減を開始する技術に比べて、エンジントルク上昇の抑制を最小限にすることができ、運転者の意図する加速感を極力損なうことなくショックを抑制できる。また、所定時間Ｔｓはエンジン負荷及び／又はエンジン負荷変化率に基づいて設定されているため、適切なタイミングでトルク抑制を開始することができて、確実にトルク変動を抑制できる。
【００６０】
また、トルクコンバータ２の速度比が１よりも大きな値でエンジントルクの復帰を開始することで、実際のエンジントルクの応答遅れがあるため、速度比１近傍のエンジン回転数の変化率を小さい状態で維持でき、これにより従来に比べてトルク変動を抑制できる。
また、速度比１よりも早い段階（つまり速度比が１よりも大きい状態）でエンジントルクの復帰を開始することで、ドライブ状態になった後のエンジントルクの上昇を早めることができるので、運転者の意図する加速感を得ることができる。
【００６１】
また、アクセル踏み込み量（又はアクセル踏み込み速度）に応じたエンジントルクの応答性を考慮してトルク低減の開始タイミングを決定するため、適切なタイミングでエンジントルク低減を開始することができ、例えば、エンジントルク低減開始遅れによるショックが発生したり、開始が早すぎて加速感が得られないといった問題を解決することができる。
【００６２】
以上、本発明の実施の形態について説明したが、本発明は上述の実施形態に限定されるものではなく、本発明の趣旨を逸脱しない範囲で種々の変形が可能である。例えば上述の実施形態では自動変速機としてベルト式無段変速機を用いて説明したが、遊星歯車機構を用いて変速を行うような一般的な自動変速機を適用しても良い。
また、上述の実施形態では、自動変速機２のコントローラ９とエンジンコントローラ１５とが協調制御可能に構成され、コースト走行状態からドライブ走行状態への移行時には、変速機コントローラ９からエンジンコントローラ１５に対してエンジン３の上限トルクの変更を要求するように構成されているが、変速機コントローラ９から直接エンジン３に対して上限トルクを出力するように構成しても良い。
【００６３】
また、上述の実施形態では、タービン回転速度検出手段としてプライマリプーリの回転数を検出するプライマリ回転数センサ１６を設け、このプライマリ回転数センサ１６からタービン回転速度を算出しているが、直接タービン回転速度を検出するタービン回転数センサを設け、このセンサからの信号を用いるように構成してもよい。
【図面の簡単な説明】
【００６４】
【図１】本発明の一実施形態に係る自動変速機の制御装置が適用される車両の駆動系を示す模式図である。
【図２】本発明の一実施形態に係る自動変速機の制御装置の要部機能について着目して示すブロック図である。
【図３】本発明の一実施形態に係る自動変速機の制御装置の作用について説明するフローチャートである。
【図４】本発明の一実施形態に係る自動変速機の制御装置の作用について説明するタイムチャートである。
【図５】本発明の一実施形態に係る自動変速機の制御装置における所定時間の設定の一例について説明する図である。
【図６】本発明の一実施形態に係る自動変速機の制御装置における所定時間の設定の他の例について説明する図である。
【符号の説明】
【００６５】
１    ＣＶＴ（自動変速機）
２    トルクコンバータ
３    エンジン
４    変速機出力軸
５    コントロールバルブ
９    変速機コントローラ（自動変速機制御手段）
１０    スロットル開度センサ（スロットル開度検出手段；エンジン負荷検出手段）
１１    セカンダリ回転数センサ（変速機出力回転センサ）
１２    エンジン回転数センサ（エンジン回転速度検出手段）
１３    選択レンジセンサ
１４    車速センサ（車速検出手段）
１５    エンジンコントローラ（エンジン制御手段）
１６    プライマリ回転数センサ（タービン回転数センサ；タービン回転数検出手段）
１７    アクセル開度センサ（アクセル開度検出手段；エンジン負荷検出手段）
２１    ロックアップ判定手段
２２    車速比較手段２２
２３    アクセル開度比較手段
２４    前提条件成立判定手段
２５    タイマ
２６    上限トルク設定手段
２７    速度比算出手段
２９    上限トルク勾配設定手段
３０    上限トルクキャンセル手段
３１    選択手段
【図１】
0004684174.tif 000002
【図２】
0004684174.tif 000003
【図３】
0004684174.tif 000004
【図４】
0004684174.tif 000005
【図５】
0004684174.tif 000006
【図６】
0004684174.tif 000007